(57)【特許請求の範囲】
【請求項１】
監視システムのビデオ記録方法において、
撮像記録装置によって記録を行いながら所定の時間間隔で動き量を検出する動き検出段階と、
前記検出された動き量と所定の臨界値とを比較し、前記動き量が所定の臨界値以下であれば、ビデオ記録媒体の位置を表すカウンターによってカウンティングを実行させ、前記動き量が所定の臨界値より大きければ前記カウンターをリセットする動きカウンティング段階と、
前記カウンターのカウンティング値と所定の設定値とを比較し、前記カウンターのカウンティング値が所定の設定値より大きい場合前記カウンティング値がリセット値になるまで巻戻しを実行した後、前記動き検出段階を繰返し実行させる段階とを含むをことを特徴とする監視用システムにおける記録媒体節約記録方法。
【請求項２】
前記動き検出段階では輝度の変化量が検出されることを特徴とする請求項１に記載の監視用システムにおける記録媒体節約記録方法。
【請求項３】
前記輝度の変化量は、所定時点での映像信号の輝度データと、所定時間経過後の時点での映像信号の輝度データと、を比較することによって検出されることを特徴とする請求項２に記載の監視用システムにおける記録媒体節約記録方法。
【請求項４】
監視システムのディスク記録方法において、
撮像記録装置によって記録を行いながら動き量を検出する動き検出段階と、
前記検出された動き量と所定の臨界値とを比較し、前記動き量が所定の臨界値より大きい状態から臨界値以下の状態に遷移される瞬間に記録されるトラックに相応するトラックデータをジャンプ先トラック位置としてメモリに保存し、トラック位置を表すカウンターを動作させる動き比較段階と、
前記動き比較段階における比較の結果、前記動き量が所定の臨界値より大きい場合にメモリ内に貯蔵された前記ジャンプ先トラック位置を削除し、前記カウンターをリセットするリセット段階と、
前記カウンターのカウンティング値と所定の設定値とを比較し、前記カウンティング値が前記所定の設定値より大きい場合前記メモリに貯蔵された前記ジャンプ先トラック位置を読み出してそのジャンプ先トラック位置にジャンプして記録を行う段階とを含むことを特徴とするシステムにおける記録媒体節約記録方法。
【発明の詳細な説明】
【０００１】
【発明の属する技術分野】
本発明は記録媒体上の映像信号記録方法に係り、特に監視用カメラの記録媒体を節約し得る記録媒体節約記録方法に関する。
【０００２】
【従来の技術】
通常、監視用システムのカメラで一定の場所が連続して撮影された信号は、記録媒体に記録された後、異常有無に対する参考資料として再生される。
【０００３】
従来の監視用システムにおいて記録媒体で記録できる記録時間の制限を補うため、一定の時間間隔で被写体を記録する方式によって記録時間を延ばす方法も考案された。
【０００４】
【発明が解決しようとする課題】
しかしながら、上記のような方法を用いても記録時間の限界は克服されない外に、記録しない区間に生ずる異常状態は記録できなくなる問題点があった。
【０００５】
したがって、本発明の目的は上述した問題点を解決するために、被写体の動きを確認しながら記録し、動きが一定時間の間発生されないと、動きがなかった記録区間から再度記録する監視用システムにおける記録媒体節約記録方法を提供することにある。
【０００６】
【課題を解決するための手段】
前記目的を達成するために本発明による監視用システムにおける記録媒体節約記録方法の第１実施形態によれば、撮像記録装置によって監視を行う監視システムのビデオ記録方法において、撮像記録装置によって記録を行いながら動き量を検出する動き検出段階と、前記検出された動き量と所定の臨界値とを比較して前記動き量が所定の臨界値以下であれば、ビデオ記録媒体の位置を表すカウンターによってカウンティングを実行させ、前記動き量が所定の臨界値より大きければ前記カウンターをリセットする動きカウンティング段階と、前記カウンターのカウンティング値と設定値とを比較して前記カウンターのカウンティング値が前記設定値より大きい場合前記カウンティング値が前記リセット値になるまで巻戻しを行った後、前記動き検出段階を繰り返し行う段階とを含む。前記目的を達成するために本発明による監視用システムにおける記録媒体節約記録方法の第２実施形態によれば、撮像記録装置によって監視を行う監視システムのディスク記録方法において、撮像記録装置によって記録を行いながら動き量を検出する動き検出段階と、前記検出された動き量と所定の臨界値とを比較し、前記動き量が所定の臨界値より大きい状態から臨界値以下の状態に遷移される瞬間に記録されるトラックに相応するトラックデータをジャンプ先トラック位置としてメモリに保存し、トラック位置を表すカウンターを動作させる動き比較段階と、前記動き比較段階における比較の結果、前記動き量が所定の臨界値より大きい場合にメモリ内に貯蔵された前記ジャンプ先トラック位置を削除し、前記カウンターをリセットするリセット段階と、カウンティング値と所定の設定値とを比較し、前記カウンティング値が前記所定の設定値より大きい場合前記メモリに貯蔵された前記ジャンプ先トラック位置を読み出してそのジャンプ先トラック位置にジャンプして記録を行う段階とを含む。
【０００７】
【発明の実施の形態】
以下添付した図面に基づき本発明の望ましい実施の形態を詳細に説明する。
【０００８】
図１に示したように、本発明の第１実施形態による監視用システムにおける記録媒体節約記録方法は、許容できる動き量の臨界値及びカウンターの基準値を設定する初期化段階１０１、監視用カメラにより撮像された信号を記録媒体に記録する録画段階１０２、終了命令が入力されたかを確認する段階１０３、終了命令が入力されたら停止モードを実行する段階１０４、撮像記録されるビデオ信号の変化量を検出する段階１０５、検出された変化量が臨界値より大きいかを確認する段階１０６、カウンターをリセットする段階１０７、カウンターを動作させる段階１０８、カウンティング値が基準値より大きいかを確認する段階１０９、カウンターの値が初期値になるまで巻戻しモードを実行させる段階１１０、１１１を具備する。
【０００９】
図３は本発明による監視用システムのブロック図であって、被写体を撮影するための撮像管３１、撮影された映像信号を記録するための記録装置３２、記録装置及び撮像管を制御するためのマイクロプロセッサー３３を具備する。
【００１０】
従って、本発明の実施形態は記録装置を制御するマイクロプロセッサーの細部制御方法に関するものである。
【００１１】
ここで、監視用システムでＶＴＲを用いて記録する方法を詳細に説明する。
【００１２】
初期化段階１０１では動き量及びカウンティング値を比較するに基準とされる臨界値及び基準値を設定する。
【００１３】
臨界値は、撮像管を通じて入力される映像信号の動き検出量を異常状態と見なせない場合の動き量の最大値を意味する。
従って、臨界値が高すぎると微細な動き量が感知できなくなる。そして、臨界値が低すぎると周辺の小さな変化にも敏感に作用して節約される記録媒体の量が減ってしまう。
したがって、監視用システムの本来の目的を十分達成する上で、記録媒体を節約し得る値を臨界値として設定すべきである。
【００１４】
そして、カウンターの基準値、は動きのない区間で、記録媒体の節約のために巻戻しを実行させる最小限の記録時間を意味する。
従って、カウンターの基準値が低すぎると動きのない区間、即ち夜の動きのない場所では録画モードと巻戻しモードがあまりも頻繁に繰り返される。そして、カウンターの基準値が高すぎると動きの発生しない区間が長くなるため節約される記録媒体の量が減少され、巻戻しに求められる時間が延び、よって録画が中止されてしまう。
【００１５】
録画段階１０２では監視用カメラにより撮像された信号を記録媒体に記録する。
【００１６】
終了命令判断段階１０３では使用者のキー入力または監視時間の終了による終了命令がマイクロプロセッサーに入力されるかを判断する。
【００１７】
停止モード実行段階１０４では終了命令が監視用システムのマイクロプロセッサーに入力されると、録画を中止して停止モードを実行する。
【００１８】
動き検出段階１０５では、監視用システムのマイクロプロセッサーに終了命令が入力されない場合に、録画実行中に撮像管に入力される被写体の動き量を検出する。被写体の微細な動きを検出するために、撮像管から出力される映像信号を所定の時点でサンプリングし、サンプリングされた電気的信号をデジタルデータに変換してメモリに貯蔵した後、一定の時間経過後の時点で、再度、映像信号をサンプリングして、デジタルデータに変換し、既にメモリに貯蔵されたデータとの比較によって、動き量を検出する。
【００１９】
さらに、ＶＴＲで記録される輝度信号をフィールドまたはフレーム単位から一定時間の周期でサンプリングした後、輝度レベルをデジタルデータに変換してメモリに貯蔵し、メモリに貯蔵されたサンプリング値を比較することによって動き量を検出することもできる。
【００２０】
動き量比較段階１０６では動き量検出段階１０５で検出された動き量と初期化段階101で設定した臨界値を比較する。この際、監視用システムで監視する区域に変化が生じたかを感知し得る。
【００２１】
もし、検出された動き量が臨界値より大きい場合は監視区域で無視できない変化が発生したことを意味し、録画を実行し続けながら動きの発生したか否かを再び確認する前にカウンターをリセットするリセット段階１０７を実行する。
【００２２】
しかし、検出された動き量が臨界値以下の場合は、監視区域に変化が発生しないか、無視できる程度の変化が発生したことを意味する。連続して動きが検出されない記録媒体の記録部分の長さを確認するためにカウンティングを実行させるカウンティング段階１０８を行う。
【００２３】
そして、検出された動き量が臨界値以下の場合にカウンティングを行いながらカウンティング値と初期設定された基準値を比較する第１カウンティング値比較段階１０９を行う。
この際、カウンティング値が基準値以上なら動き量を繰返し検出し、検出された動き量を臨界値と比較して無視できる動きが検出されたらカウンティングを行い続ける。
【００２４】
このように、カウンティングを行いながらカウンティング値と基準値を比較し、カウンティング値が基準値より大きくなる場合には一定時間以上監視区域で何の変化も生じないことと判断され、よってこの時間の間に記録媒体に記録された部分は監視用システムで不要になる。
【００２５】
従って、この時間の間に記録された部分を探して再度録画を実行するために巻戻し段階１１０を行う。
【００２６】
巻戻し段階１１０では現在行われている録画モードを停止モードに切り替えた後、記録媒体を巻き戻す巻戻しモードを実行する。
【００２７】
第２カウンティング値比較段階１１１はカウンティング値を比較しながらカウンティング値が初期リセット値の”０”になるまで巻戻しを実行するためにカウンティング値を比較する。即ち、監視区域で検出された動き量が許容値より低い時間領域で記録された部分まで巻戻しを行うためにカウンティング値を比較する。
【００２８】
カウンティング値が”０”に達すれば、上記の段階１０２〜１１１を再実行する。
【００２９】
このような動作によって監視システムで監視区域を録画して記録媒体に記録する時、動きを無視できる区間の記録された部分を探し、その部分に再度記録することで記録媒体を節約し得る。
【００３０】
図２に示したように、本発明の第２実施形態による監視用システムにおける記録媒体節約記録方法は、許容できる動き量の臨界値及びカウンターの基準値を設定する初期化段階２０１、監視用カメラにより撮像された信号を記録媒体に記録する録画段階２０２、終了命令が入力される場合停止モードを実行する段階２０３、２０４、撮像記録されたビデオ信号の変化量を検出する段階２０５、検出された動き量と所定の臨界値とを比較し、動き量が所定の臨界値より大きい状態から臨界値以下の状態に遷移される瞬間に記録されるトラックに相応するトラックデータをジャンプ先トラック位置としてメモリに保存し、トラック位置を表すカウンターを動作させる動き比較段階２０６、検出された変化量が臨界値より大きい場合には、メモリ内のジャンプ先トラック位置を削除する段階２０７、カウンターをリセットするリセット段階２０８、また、検出された変化量が臨界値より小さい場合には、メモリ内に貯蔵されたジャンプ先トラック位置を維持し、カウンティングを実行する段階２０９、２１０、カウンティング値が基準値より大きい場合にメモリに貯蔵されたジャンプ先トラック位置にトラックジャンプを行う段階２１２を具備する。
【００３１】
本発明の第２実施形態は監視システムの記録媒体としてディスクを使用して映像信号を記録する方法である。
【００３２】
初期化段階２０１では動き量の臨界値、カウンティング基準値、及び、メモリ内に貯蔵するジャンプ先トラック位置の値を設定する。
【００３３】
図１で説明したように、臨界値は撮像管を通じて入力される映像信号の動き検出量において異常状態と見なせない動き量の最大値を意味する。
従って、臨界値が高すぎると微細な動き量が感知できなく、よって監視システムの本然の役割を果たせなくなる。そして、臨界値が低すぎる周辺の小さな変化にも敏感に作用して節約される記録媒体の量が減ってしまう。
【００３４】
そして、カウンターの基準値は、動きのない区間において、記録される記録媒体の節約のためにトラックジャンプを実行させる最小限の記録時間の臨界点をいう。
【００３５】
録画段階２０２は監視用カメラにより撮像された信号を記録媒体に記録する段階である。
【００３６】
終了命令判断段階２０３は使用者のキー入力または監視時間の終了による終了命令がマイクロプロセッサーに入力されるかを判断する段階である。
【００３７】
停止モード実行段階２０４において、終了命令が監視用システムのマイクロプロセッサーに入力される場合に、録画を中止し停止モードを実行する。
【００３８】
動き検出段階２０５は、監視用システムのマイクロプロセッサーに終了命令が入力されない場合に、録画実行中に撮像管に入力される被写体の動き量を検出する段階である。被写体の微細な動き量を検出するために、撮像管から出力される映像信号を所定の時点でサンプリングし、サンプリングされた電気的信号をデジタルデータに変換してメモリに貯蔵した後、一定の時間経過後の時点で、再度、映像信号をサンプリングしてデジタルデータに変換し、既にメモリに貯蔵されたデータとの比較によって、動き量を検出する。
【００３９】
さらに、ビデオディスクレコーダで記録される輝度信号をフィールドまたはフレーム単位にサンプリングした後、輝度レベルをデジタルデータに変換してメモリに貯蔵して一定時間の周期でメモリに貯蔵された値を比較することによって動き量を検出しても良い。
【００４０】
動き量の比較段階２０６は動き検出段階２０５で検出された動き量と初期化段階２０１で設定した臨界値とを比較する段階である。ここで、監視用システムで監視する区域の変化の発生したか否かが感知される。
【００４１】
もし、検出された動き量が臨界値より大きい場合は監視区域で無視できない変化が発生したのを意味し、この場合には記録媒体に記録された内容をそのまま保存すべきである。従って、この場合には、既に貯蔵されたジャンプ先トラック位置を削除させるメモリ削除段階２０７とカウンターをリセットするカウンターリセット段階２０８を行う。トラックデータの貯蔵段階２０９では、検出された動き量が臨界値以下に変化される場合、メモリ内に貯蔵されたジャンプ先トラック位置を維持する。
【００４２】
カウンティング段階２１０は連続して動きが検出されなかったり、許容できる動きの範囲内で記録された記録部分の長さを確認するためにカウンターのカウンティングを実行する段階である。
【００４３】
カウンティング値比較段階２１１ではカウンティングを行いながらカウンティング値と基準値とを比較する。
この際、カウンティング値が基準値以下の場合は繰返し動き量を検出するために終了命令判断段階２０３に戻って上の段階を繰り返す。
しかし、カウンティング値が基準値より大きくなる場合には一定時間以上の間に監視区域で何の変化も発生しないことと判断され、この時間の間に記録媒体に記録された部分は監視用システムで不要になる。
【００４４】
従って、この場合にはメモリに貯蔵されたジャンプ先トラック位置にジャンプするトラックジャンプ段階２１２を行う。
【００４５】
したがって、監視区域で何の変化も発生しないことと判断される場合、この時間の間に記録媒体に記録された部分を探し、再び新たな内容で記録することによって記録媒体を節約し得る。
【００４６】
【発明の効果】
以上述べたように、本発明によれば、監視用システムで記録される映像信号の動きを検出比較して一定時間以上動きのない記録部分が連続される場合、動きなく記録された記録位置に再記録することによって、監視システムの記録できる時間が延ばせる上で記録媒体も節約し得る。
【図面の簡単な説明】
【図１】 本発明の第１実施形態による監視用システムにおける記録媒体節約記録方法の流れ図である。
【図２】 本発明の第２実施形態による監視用システムにおける記録媒体節約記録方法の流れ図である。
【図３】 本発明による監視用システムのブロック図である。
【符号の説明】
３１ 撮像管（撮像記録装置）
１０５ 動き検出段階
１０６ 動き比較段階
２０５ 動き検出段階
２０６ 動き比較段階
２０８ リセット段階
２１２ トラック位置にジャンプして記録を行う段階
【図１】
0004040723.tif 000002
【図２】
0004040723.tif 000003
【図３】
0004040723.tif 000004